(57)【要約】【課題】  ストリッパープレートの着脱交換に大きな力が不要で、かつ特別な工具を使用することなく容易交換が行えるパンチ金型組立体の提供。【解決手段】  パンチガイド５に対してストリッパープレート７９を着脱可能に設けたパンチ金型組立体１において、前記ストリッパープレートを着脱自在のアダプタリング８１を前記パンチガイドに嵌合自在に設けると共に、該アダプタリングの嵌合部外周に形成した係合溝８３に対して係脱自在のロック片８７を前記パンチガイドの複数位置に設け、該ロック片を前記係合溝方向へ押圧付勢するロック片押圧手段を前記パンチガイドに設けてなることを特徴とするパンチ金型組立体。【選択図】    図１
2006167746.tif 000002
【特許請求の範囲】
【請求項１】
パンチガイドに対してストリッパープレートを着脱可能に設けたパンチ金型組立体において、前記ストリッパープレートを着脱自在のアダプタリングを前記パンチガイドに嵌合自在に設けると共に、該アダプタリングの嵌合部外周に形成した係合溝に対して係脱自在のロック片を前記パンチガイドの複数位置に設け、該ロック片を前記係合溝方向へ押圧付勢するロック片押圧手段を前記パンチガイドに設けてなることを特徴とするパンチ金型組立体。
【請求項２】
請求項１に記載のパンチ金型組立体において、前記ロック片押圧手段は、前記パンチガイドの外周上下方向に移動自在のロック片押圧部材を設け、該ロック片押圧部材と前記ロック片とが係合する係合部を傾斜面に形成してなることを特徴とするパンチ金型組立体。
【請求項３】
請求項１、２に記載のパンチ金型組立体において、前記ロック片押圧手段は、隣接して対をなす２対のロック片押圧手段からなり、それぞれのロック片押圧手段は前記パンチガイドの外周面に対して斜め上下方向に移動自在であり、かつ隣接して対をなすロック片押圧手段を互いに接近離反する方向へ移動自在に設けてなることを特徴とするパンチ金型組立体。
【請求項４】
請求項１、２に記載のパンチ金型組立体において、前記アダプタリングの前記係合溝と前記ロック片との係合を強制的に開放させるロック片開放手段を前記ロック片押圧部材に設けてなることを特徴とするパンチ金型組立体。
【請求項５】
請求項４に記載のパンチ金型組立体において、前記ロック片開放手段は、前記ロック片押圧部材に前記ロック片を保持するロック片保持手段を設け、前記ロック片押圧部材の押圧付勢力を解除する動作に連動して前記アダプタリングの係合溝と前記ロック片との係合を強制的に開放させることを特徴とするパンチ金型組立体。
【請求項６】
請求項５に記載のパンチ金型組立体において、前記ロック片保持手段は、前記ロック片に該ロック片の長手方向の両端部に突出するロック片支持軸を設け、前記ロック片押圧部材に前記ロック片支持軸の両端部に係合保持する係合穴を前記パンチガイドの内径側から外径側へ傾斜するように形成してなることを特徴とするパンチ金型組立体。
【請求項７】
請求項５に記載のパンチ金型組立体において、前記ロック片保持手段は、前記ロック片押圧部材に前記ロック片の下部に当接して該ロック片を保持可能な引掛け棒を設けてなることを特徴とするパンチ金型組立体。
【請求項８】
請求項５に記載のパンチ金型組立体において、前記ロック片保持手段は、前記ロック片の長手方向の両端部を回転可能に軸支するリンク部材を前記ロック片押圧部材に回動可能に設けてなることを特徴とするパンチ金型組立体。
【請求項９】
請求項５に記載のパンチ金型組立体において、前記ロック片保持手段は、前記アダプタリングに該アダプタリングの係合溝と係合状態にある前記ロック片の下面を常時上方向へ付勢するロック片付勢手段を設けてなることを特徴とするパンチ金型組立体。
【請求項１０】
請求項９に記載のパンチ金型組立体において、前記ロック片付勢手段はスプリングにより付勢されるスプリングプランジャーからなることを特徴とするパンチ金型組立体。
【請求項１１】
パンチガイドに対してストリッパープレートを着脱可能に設けたパンチ金型組立体において、前記ストリッパープレートを着脱自在のアダプタリングを前記パンチガイドに嵌合自在に設けると共に、該アダプタリングの嵌合部外周に形成した係合溝に対して係脱自在の係合手段を前記パンチガイドの複数位置に設け、該係合手段と前記係合溝との係合を非係合にする方向に前記係合手段を常時押圧付勢する付勢手段を設けると共に、該係合手段を係合状態に保持または非係合状態への移動を可能にする係合状態保持手段を前記パンチガイドに設けてなることを特徴とするパンチ金型組立体。
【請求項１２】
請求項１１に記載のパンチ金型組立体において、前記係合手段は、前記パンチガイド外周に上下方向にガイドされると共に外径方向へ移動可能なロックボタンと、該ロックボタンの内側に一体的に設けた前記係合溝に係脱可能な係合部を有するロックスプリングとからなり、前記付勢手段は前記ロックボタンを前記非係合にする方向に常時押圧付勢するロックボタンスプリングからなり、前記係合状態保持手段は、前記ロックボタンの上端部に係合自在の係止部を備え、該係止部を前記ロックボタンの上部位置へ移動可能に押圧付勢されたリリースボタンを設けてなることを特徴とするパンチ金型組立体。
【発明の詳細な説明】
【技術分野】
【０００１】
本発明はパンチ金型組立体に関する。
【背景技術】
【０００２】
パンチプレスなどに使用されるパンチ直径が3.5〜4.5インチの大径のパンチ金型組立体の構成は、中空円筒状のパンチガイドの内径部に着脱交換自在のパンチチップを備えたパンチボディを摺動自在に嵌合して設け、前記パンチボディの上端部に一体的に固定したパンチヘッドと前記パンチガイドの上部フランジとの間に、皿ばねまたはウレタンゴムなどストリッパースプリングが弾装してある。
【０００３】
また、前記パンチガイドの下端部には、前記パンチチップの刃先形状に合わせた穴を有するストリッパープレートを交換可能に取り付けた構成を有しているのが一般的である（例えば、特許文献１の図３）。
【０００４】
上述の特許文献１における、ストリッパープレートのパンチガイドへの装着は、ストリッパープレートの外周に形成した周溝に係脱可能な係合部を備えた複数個の板ばね等の弾性部材からなる固定部材がパンチガイドの下端部に設けてあり、この固定部材に対してストリッパープレートを挿入または離脱させるようになっている。あるいは、パンチガイドの下端部にストリッパープレートを複数のボルトで直接的に固定する方式や、このボルトのねじ部の先端部を回動可能に軸支した構成もある（特許文献２）
【特許文献１】特開平６−５５１号公報
【特許文献２】特開２００１−３００２１号公報
【発明の開示】
【発明が解決しようとする課題】
【０００５】
上述の特許文献１におけるストリッパープレートの着脱交換においては、パンチガイドに設けた固定部材にストリッパープレートの外周の周溝を係合させるのには、かなりの力を必要とするので交換作業が大変である。また、特許文献２におけるストリッパープレートの着脱交換においては、ボルトを回すための工具が必要であり着脱にかなりの時間がかかるなどの問題もある。
【０００６】
本発明は上述の如き問題を解決するためになされたものであり、本発明の課題は、ストリッパープレートの着脱交換に大きな力が不要で、かつ特別な工具を使用することなく容易交換が行えるパンチ金型組立体を提供することである。
【課題を解決するための手段】
【０００７】
上述の課題を解決する手段として請求項１に記載のパンチ金型組立体は、パンチガイドに対してストリッパープレートを着脱可能に設けたパンチ金型組立体において、前記ストリッパープレートを着脱自在のアダプタリングを前記パンチガイドに嵌合自在に設けると共に、該アダプタリングの嵌合部外周に形成した係合溝に対して係脱自在のロック片を前記パンチガイドの複数位置に設け、該ロック片を前記係合溝方向へ押圧付勢するロック片押圧手段を前記パンチガイドに設けてなることを要旨とするものである。
【０００８】
請求項２に記載のパンチ金型組立体は、請求項１に記載のパンチ金型組立体において、前記のロック片押圧手段は、前記パンチガイドの外周上下方向に移動自在のロック片押圧部材を設け、該ロック片押圧部材と前記ロック片とが係合する係合部を傾斜面に形成してなることを要旨とするものである。
【０００９】
請求項３に記載のパンチ金型組立体は、請求項１、２に記載のパンチ金型組立体において、前記ロック片押圧手段は、隣接して対をなす２対のロック片押圧手段からなり、それぞれのロック片押圧手段は前記パンチガイドの外周面に対して斜め上下方向に移動自在であり、かつ隣接して対をなすロック片押圧手段を互いに接近離反する方向へ移動自在に設けてなることを要旨とするものである。
【００１０】
請求項４に記載のパンチ金型組立体は、請求項１、２に記載のパンチ金型組立体において、前記アダプタリングの前記係合溝と前記ロック片との係合を強制的に開放させるロック片開放手段を前記ロック片押圧部材に設けてなることを要旨とするものである。
【００１１】
請求項５に記載のパンチ金型組立体は、請求項４に記載のパンチ金型組立体において、前記ロック片開放手段は、前記ロック片押圧部材に前記ロック片を保持するロック片保持手段を設け、前記ロック片押圧部材の押圧付勢力を解除する動作に連動して前記アダプタリングの係合溝と前記ロック片との係合を強制的に開放させることを要旨とするものである。
【００１２】
請求項６に記載のパンチ金型組立体は、請求項５に記載のパンチ金型組立体において、前記ロック片保持手段は、前記ロック片に該ロック片の長手方向の両端部に突出するロック片支持軸を設け、前記ロック片押圧部材に前記ロック片支持軸の両端部に係合保持する係合穴を前記パンチガイドの内径側から外径側へ傾斜するように形成してなることを要旨とするものである。
【００１３】
請求項７に記載のパンチ金型組立体は、請求項５に記載のパンチ金型組立体において、前記ロック片保持手段は、前記ロック片押圧部材に前記ロック片の下部に当接して該ロック片を保持可能な引掛け棒を設けてなることを要旨とするものである。
【００１４】
請求項８に記載のパンチ金型組立体は、請求項５に記載のパンチ金型組立体において、前記ロック片保持手段は、前記ロック片の長手方向の両端部を回転可能に軸支するリンク部材を前記ロック片押圧部材に回動可能に設けてなることを要旨とするものである。
【００１５】
請求項９に記載のパンチ金型組立体は、請求項５に記載のパンチ金型組立体において、前記ロック片保持手段は、前記アダプタリングに該アダプタリングの係合溝と係合状態にある前記ロック片の下面を常時上方向へ付勢するロック片付勢手段を設けてなることを要旨とするものである。
【００１６】
請求項１０に記載のパンチ金型組立体は、請求項９に記載のパンチ金型組立体において、前記ロック片付勢手段はスプリングにより付勢されるスプリングプランジャーからなることを要旨とするものである。
【００１７】
請求項１１に記載のパンチ金型組立体は、パンチガイドに対してストリッパープレートを着脱可能に設けたパンチ金型組立体において、前記ストリッパープレートを着脱自在のアダプタリングを前記パンチガイドに嵌合自在に設けると共に、該アダプタリングの嵌合部外周に形成した係合溝に対して係脱自在の係合手段を前記パンチガイドの複数位置に設け、該係合手段と前記係合溝との係合を非係合にする方向に前記係合手段を常時押圧付勢する付勢手段を設けると共に、該係合手段を係合状態に保持または非係合状態への移動を可能にする係合状態保持手段を前記パンチガイドに設けてなることを要旨とするものである。
【００１８】
請求項１２に記載のパンチ金型組立体は、請求項１１に記載のパンチ金型組立体において、前記係合手段は、前記パンチガイド外周に上下方向にガイドされると共に外径方向へ移動可能なロックボタンと、該ロックボタンの内側に一体的に設けた前記係合溝に係脱可能な係合部を有するロックスプリングとからなり、前記付勢手段は前記ロックボタンを前記非係合にする方向に常時押圧付勢するロックボタンスプリングからなり、前記係合状態保持手段は、前記ロックボタンの上端部に係合自在の係止部を備え、該係止部を前記ロックボタンの上部位置へ移動可能に押圧付勢されたリリースボタンを設けてなることを要旨とするものである。
【発明の効果】
【００１９】
本発明によれば、パンチ金型組立体におけるストリッパープレートの着脱交換が専用の工具を使用することなく容易に行うことができる。また、ストリッパープレートを装着自在のアダプタリングを前記パンチガイドに着脱交換自在に設けたので、従来のストリッパープレートを利用することが可能であり資源を有効活用することができる。
【００２０】
また、請求項４〜１２の発明によれば、上述の効果に加えて、パンチガイド５の方向あるいは姿勢（例えば、水平方向または垂直方向など）に関係なく、前記アダプタリング８１を容易に着脱することができる。
【発明を実施するための最良の形態】
【００２１】
以下、本発明の実施の形態を図面によって説明する。
【００２２】
図１を参照するに、総括的に示すパンチ金型組立体１は、下端部に刃部３ｈを有するパンチボディ３（想像線で示す）を上下動可能に案内するパンチガイド５を有しており、パンチボディ３の上面にはパンチボディ３と共にパンチガイド５内部を上下動可能に案内される下部パンチドライバ７が設けてある。
【００２３】
前記下部パンチドライバ７の上部には、下部パンチドライバ７より小径の雄ねじ部９が形成してあり、この雄ねじ部９を前記パンチガイド５の上部から上方に突出させてある。
【００２４】
前記下部パンチドライバ７の雄ねじ部９には、上部パンチドライバ１１に設けた雌ねじ部が螺合され、この上部パンチドライバ１１と前記下部パンチドライバ７および前記パンチボディ３とを一体的に結合する６角穴付きボルト１３が設けてある。
【００２５】
前記下部パンチドライバ７には、前記パンチガイド５の外周に上下方向に延伸して設けた第１キー溝１５に摺動可能に係合する第１キー１７が６角穴付きボルト１９で一体的に固定してある。また、前記パンチガイド５の外周に上下方向に延伸して設けた第２キー溝２０に摺動可能に係合する第２キー２１が６角穴付きボルト２３で前記下部パンチドライバ７に一体的に固定してある。
【００２６】
前記第２キー２１は、前記パンチボディ３の上面に形成したキー溝２５（想像線で示す）にも係合しており、これによりパンチボディ３はパンチガイド５の第２キー溝２０に対する方向性が規制されている。
【００２７】
前記パンチガイド５の上端部より少し下方には、パンチガイド５の軸心方向に延びるフランジ部２７が一体的に形成してあり、また前記上部パンチドライバ１１の下端部には、前記フランジ部２７の下面に係合するフランジ部２９が形成してある。
【００２８】
前記パンチガイド５のフランジ部２７の上面には、前記上部パンチドライバ１１に挿通した環状のスプリング支持部材３１が回転可能に載置してある。一方、前記上部パンチドライバ１１の上端部には、この上部パンチドライバ１１より少し直径の大きいパンチヘッド３３が複数の６角穴付きボルト３５で固定してある。
【００２９】
なお、前記パンチヘッド３３の中心には前記６角穴付きボルト１３を回すためのレンチが挿入可能なねじ穴３４が設けてある。
【００３０】
そして、前記パンチヘッド３３とスプリング支持部材３１との間には、複数枚の環状皿ばねからなるストリッパースプリング３７が弾装してある。また、前記上部パンチドライバ１１のフランジ部２９には、前記スプリング支持部材３１に設けた係合穴３９に係脱可能なピン４１が立設してある。
【００３１】
したがって、上述のピン４１がスプリング支持部材３１と係合している状態において、上部パンチドライバ１１を回転させると、スプリング支持部材３１は上部パンチドライバ１１と一緒に回転することになる。
【００３２】
しかしながら、前記パンチガイド５のフランジ部２７には、前記スプリング支持部材３１の回転をロックまたはアンロックする、すなわち上部パンチドライバ１１の回転をロックまたはアンロックする回転規制手段４３が設けてある。
【００３３】
次いで、上述の回転規制手段４３の機構例の概要を説明する。
【００３４】
総括的に示す回転規制手段４３は、前記パンチガイド５のフランジ部２７に設けたガイド溝４４内を左右方向（図１において）に移動可能な押しボタン４５が設けてある。この押しボタン４５は、図１において上方から見ると、左方に開口したコの字形のガイド溝（図示省略）を有し、このガイド溝（図示省略）に左端部に係合凸部４７ａを備えたロック部材４７が左右方向に摺動可能に嵌合してある。
【００３５】
上記押しボタン４５には、図１に示すように、下から右上方向に傾斜したガイド溝４９が設けてあり、一方ロック部材４７には、ガイド溝４９にほぼ直角に交差するガイド溝５１が設けてある。
【００３６】
そして、このガイド溝４９とガイド溝５１の下端部を水平方向に貫通するピン５３が前記フランジ部２７に上下方向に設けたガイド溝（図示省略）に上下動自在に設けてある。
【００３７】
なお、前記ロック部材４７と押しボタン４５の間には、押しボタン４５を右方へ付勢するスプリング５５が弾装してある。また、図１において、前記スプリング支持部材３１の周囲には、ロック部材４７の係合凸部４７ａに係合可能な係合穴５７が適宜な間隔で設けてある。
【００３８】
上記構成において、押しボタン４５を押圧すると、ピン５３がガイド溝４９に沿って上昇するため、ロック部材４７が右方へ移動し、係合凸部４７ａが前記スプリング支持部材３１の係合穴５７から外れることになる。
【００３９】
したがって、前記上部パンチドライバ１１がパンチガイド５に対して回転自在となる。また、押しボタン４５の押圧を止めて、係合凸部４７ａと適宜な位置にある係合凹部５７に係合させれば、上部パンチドライバ１１のパンチガイド５に対する回転をロックすることができる。
【００４０】
上記構成により、パンチボディ３の刃先を再研磨した場合などには、上述の上部パンチドライバ１１をパンチボディ３に対して回転させてパンチボディ３を上下動させることにより、パンチボディ３の刃先からパンチヘッド３３までの距離を所定の距離に容易に調整することができる。
【００４１】
なお、前記押しボタン４５の周囲のパンチガイド５には、押しボタン４５を押し込み易くすための切欠き溝４６が形成してある。
【００４２】
前記ストリッパースプリング３７の周囲には、環状のスプリングカバー５９がカバー着脱手段６１を介して前記に着脱可能に装着してある。
【００４３】
図１〜図３に示すように、カバー着脱手段６１は前記パンチガイド５の上部内周に設けた半円形の周溝６３と、スプリングカバー５９の下部外周に設けた半円形の周溝６５（図３参照）とに係合する硬質ゴムなどの弾性部材からなるロックリング６７と、このロックリング６７の移動を規制する二本足からなる櫛形の移動規制部材６９などから構成してある。
【００４４】
図２、図３に示すように、前記環状のスプリングカバー５９の下端部には、前記パンチガイド５の上端部とほぼ同径のフランジ部５９ａが形成してあり、このフランジ部５９ａに前記パンチガイド５の内径に嵌合する係合凸部５９ｂが設けてある。
【００４５】
上述の係合凸部５９ｂの外周には、前記半円形の周溝６５が形成してあると同時に、幅Ｗ１の切欠き溝７１が上下方向に形成してある。また、前記パンチガイド５の上端部にも前記切欠き溝７１と同じ幅の切欠き溝７３が上下方向に形成してある。
【００４６】
前記切欠き溝７１と切欠き溝７３の両側近傍には、前記スプリングカバー５９のフランジ部５９ａの上面から前記パンチガイド５の周溝６３の位置まで延びる上下方向の一対の穴７５が距離Ｗ２の間隔で設けてある。
【００４７】
また、前記スプリングカバー５９の切欠き溝７３内の前記周溝６５上には、前記ロックリング６７の端部が嵌入自在の横方向（図１において左右方向）の係合穴７７が設けてある。
【００４８】
上記構成のカバー着脱手段６１において、パンチガイド５にスプリングカバー５９を装着固定する場合には、パンチガイド５上部にスプリングカバー５９の下端部を嵌合させると共に、スプリングカバー５９の切欠き溝７１とパンチガイド５の切欠き溝７３とを一致させた状態において、前記ロックリング６７の一端部に形成したリングの中心方向に曲がった爪部６７ａ（図４参照）を前記係合穴７７に挿入し、スプリングカバー５９を時計方向（図２の上側から見て）に回転させて、ロックリング６７を周溝６３と周溝６５からなる断面円形の空洞部に引き入れ、切欠き溝７１が切欠き溝７３に一致するまで回転させて前記一対の穴７５に、前記二本足からなる櫛形の移動規制部材６９の二本の足部を挿入することにより、スプリングカバー５９をパンチガイド５に容易に固定することができる（図１、図２参照）。
【００４９】
すなわち、前記櫛形の移動規制部材６９を一対の穴７５に挿入することにより、スプリングカバー５９のパンチガイド５に対する回動を規制するとことができる。
【００５０】
また、スプリングカバー５９を取り外す場合には、装着時と逆の操作を行えばよいのであって、前記櫛形の移動規制部材６９を一対の穴７５から抜き取り、パンチガイド５を装着時と逆方向に回転させれば、前記ロックリング６７の爪部６７ａでない方の端部６７ｂが前記切欠き溝７３内に顔を出すので、この端部６７ｂをパンチガイド５を回転させながら引き出してロックリング６７を周溝６３と周溝６５からなる断面円形の空洞部から抜き取ることにより、スプリングカバー５９をパンチガイド５から容易に取り外すことができる。
【００５１】
なお、前記ロックリング６７と櫛形の移動規制部材６９とが干渉しないように、前記ロックリング６７の爪部６７ａと端部６７ｂ間の距離Ｗ３は、前記一対の穴７５間の距離Ｗ２より若干大きく設定してある。
【００５２】
図１および図６、図７に示すように、前記パンチガイド５の下端部には、ストリッパープレート７９を装着したアダプタリング８１がアダプタリング着脱手段８２により着脱自在に設けてある。
【００５３】
以下に、アダプタリング８１とアダプタリング着脱手段８２の構成を説明する。
【００５４】
図６〜図８を参照するに、前記アダプタリング８１には、前記パンチガイド５の下端部に形成した環状の凹部５ｋに着脱可能に嵌合する環状の凸部８１ｋが設けてあり、この環状の凸部８１ｋの外周には円弧状断面の係合溝８３が形成してある。
【００５５】
また、前記アダプタリング８１の下部には、前記ストリッパープレート７９の上面に係合する環状の段部９９が形成してあり、この環状の段部９９に前記ストリッパープレート７９が係合自在に設けてある。
【００５６】
このストリッパープレート７９の外周には、円弧状断面を有する環状の係合溝１０１が設けてあり、前記アダプタリング８１には、この係合溝１０１に係合する係合凸部１０３を備えたばね鋼などの弾性部材からなるストリッパープレート固定部材１０５がボルト１０７により取り付けてある。
【００５７】
なお、図１における、参照符号１０８はストリッパープレート７９の円周方向の方向を規制するキー溝であり、前記第２キー溝２０と同一方向に設けてある。
【００５８】
アダプタリング着脱手段８２は、前記パンチガイド５の下端部に、パンチガイド５の外周から内周に向かって傾斜するガイド溝８５を有し、このガイド溝８５の内側は前記パンチガイド５に嵌合されたアダプタリング８１の前記係合溝８３に対して開口している。
【００５９】
上述のガイド溝８５内には、前記係合溝８３に対して傾斜方向に係脱自在の円形断面を有する棒状のロック片８７が移動可能に挿入してある。なお、ロック片８７は前記係合溝８３に対向する開口から落下しないように保持してある。
【００６０】
前記パンチガイド５の下端部外周には、前記ロック片８７を前記係合溝８３方向へ押圧付勢するロック片押圧部材８９をパンチガイド５の上下方向に移動自在にガイドするガイド溝９１が設けてある。そして、このガイド溝９１に前記ロック片押圧部材８９が上下方向に移動可能に嵌合してある。
【００６１】
上述のロック片押圧部材８９は、ロック片押圧部材８９に設けた長穴９３に保持部材として例えばボルト９５により上下方向に移動可能に保持してあり、かつ上下操作を容易にするため、前記ロック片押圧部材８９の表面には複数本の水平方向溝からなる滑り止め用溝９６が形成してある。
【００６２】
前記ロック片押圧部材８９の上部と前記ガイド溝９１との間には、ロック片押圧部材８９を常時下方へ押圧付勢する複数のスプリング９７が弾装してある。また、ロック片押圧部材８９と前記ロック片８７とが係合するロック片８７下面の係合部は、前記パンチガイド５の内側から外周方向へ下降する傾斜面９８が形成してあり、前記ロック片押圧部材８９に上方から押圧される前記ロック片８７は、外周から内周に向かって下降する前記ガイド溝８５との作用とにより前記アダプタリング８１の係合溝８３の方向へ常時付勢されるようになっている。  
図５，図８を参照するに、前記パンチガイド５の下部には、このパンチガイド５に装着した前記アダプタリング８１の上端部を常時下方向へ押圧付勢するアダプタリング付勢手段１０９がパンチガイド５の下部の複数箇所に適宜な間隔で配置してある。
【００６３】
上述のアダプタリング付勢手段１０９の構成は、前記パンチガイド５の下端面から上方に延びるピストンガイド穴１１１を設け、このピストンガイド穴１１１に下方に延伸するピストンロッド１１３ｒを備えたピストン１１３を上下動自在に挿入すると共に、このピストン１１３の頭部と前記ピストンガイド穴１１１との間にピストン１１３を常時下方へ付勢するスプリング１１５を設け、さらに前記ピストンロッド１１３ｒをガイドすると共に、ピストン１１３がピストンガイド穴１１１からの落下するのを防止する係止部材１１７を設けたものである。
【００６４】
上記構成のアダプタリング着脱手段８２を使用すれば、従来のストリッパープレート７９をアダプタリング８１に着脱して用いることができると共に、ストリッパープレート７９をアダプタリング８１に装着した状態で、前記パンチガイド５に容易に着脱交換することができるようになった。
【００６５】
以下にアダプタリング着脱手段８２を使用したストリッパープレートの着脱交換の手順について説明する。
【００６６】
通常は、図１に示したパンチ金型組立体１を上下方向を逆にして、ストリッパープレート７９の交換作業を行っている。なお、ストリッパープレート７９のみの交換作業は従来の方法と同一である。
【００６７】
ストリッパープレート７９をアダプタリング８１に装着した状態でパンチガイド５からストリッパープレート７９を取り外す場合には、パンチ金型組立体１を上下方向を逆にして作業台等に載置し、アダプタリング着脱手段８２におけるロック片押圧部材８９をパンチヘッド３３の方向（図１では上方向）へ移動させる。
【００６８】
すると、アダプタリング８１の係合溝８３に係合していたロック片８７がパンチガイド５の外周方向へ移動自在となるので、アダプタリング８１とパンチガイド５との係合が解除され、アダプタリング付勢手段１０９におけるスプリング１１５の付勢力により、アダプタリング８１が上方へ浮き上がるので、アダプタリング８１をパンチガイド５から容易に取り外すことができる。
【００６９】
また、ストリッパープレート７９を装着したアダプタリング８１をパンチガイド５に装着する場合には、スプリング１１５の付勢力より大きい力でアダプタリング８１の環状の凸部８１ｋをパンチガイド５の環状の凹部５ｋに押圧挿入すれば、ロック片８７がスプリング１１５の付勢力によりアダプタリング８１の係合溝８３の方向へ押圧されて、アダプタリング８１とパンチガイド５との係合が自動的にロック状態となり容易に装着することができる。
【００７０】
なお、上述のパンチ金型組立体１は、パンチプレスなどの上部金型ホルダ（図示省略）に装着して使用されるものであり、図１に示すパンチガイド５における参照符号１１９は、上部金型ホルダにパンチ金型組立体１を上下動可能に支持するための金型支持部でありパンチガイド５の複数箇所に設けてある。
【００７１】
また、図９、図１０には、対をなす二対のロック片押圧部材８９を前記パンチガイド５の外周面に対して斜め上下方向に移動自在に設けると共に、かつ隣接して対をなすロック片押圧部材８９を互いに接近離反する方向へ移動自在に設けたアダプタリング着脱手段８２の別例が３例示してある。
【００７２】
なお、図９ｃにはロック片押圧部材８９が約４５度方向へ移動自在に設けた例を、図９ｂには約３０度方向へ移動自在に設けた例を、図９ａは約６０度方向へ移動自在に設けた例が示してある。
【００７３】
これにより、二対のロック片押圧部材８９を両手を使って互いに接近離反する方向へ容易に操作することができる。
【００７４】
なお、前記ストリッパープレート７９を前記アダプタリング８１と一体的に形成しても（図１１参照）、ストリッパープレート７９を前記アダプタリング８１にボルト１２１で固定するようにしても（図１２参照）、前述のアダプタリング着脱手段８２を共通に使用することができる。
【００７５】
図１３〜図２３には、前記アダプタリング着脱手段８２とは別の５種類のアダプタリング着脱手段（８２ａ〜８２ｅ）の実施例が示してある。
【００７６】
以下に、アダプタリング着脱手段（８２ａ〜８２ｅ）について説明する。なお、前記アダプタリング着脱手段８２と同一の部品には同一の符号を付し、詳細な説明は省略する。
【００７７】
図１３、図１４および図１５に示すアダプタリング着脱手段８２ａにおいて、前記ロック片８７には、このロック片８７の軸心を通り、このロック片８７の長手方向の両端部に突出するロック片支持軸１２１が設けてある。
【００７８】
一方、前記ロック片押圧部材８９の下部には、前記ロック片支持軸１２１に係合する係合穴１２３を形成した下方に開いた凹部を有するロック片支持部１２５が設けてある。
【００７９】
図１３に示す如く、前記係合穴１２３は前記パンチガイド５の内径側から外径側へ傾斜する長穴に形成してあって、その長穴の係合穴１２３の上端部は前記パンチガイドの内径側に位置しており下端部は外径側に位置している。
【００８０】
図１３ａは、前記ロック片押圧部材８９が下方へ押圧付勢されて、前記アダプタリング８１の係合溝８３に前記ロック片８７が係合するロック状態を示したものであり、前記係合穴１２３の上端部は、このロック状態において前記ロック片支持軸１２１が当接するように形成してある。
【００８１】
また、図１３ｂに示すように、前記ロック片押圧部材８９を上方へ、すなわちパンチヘッド３３の方向へ移動させると、前記ロック片８７は前記ガイド溝８５に沿って斜め右上方向への移動のみに規制されているので、前記ロック片８７のロック片支持軸１２１が、前記係合穴１２３に沿って前記パンチガイド５の内径側から外径側へ移動して、ロック片８７と係合溝８３との係合が強制的に解除されることになる。なお、ロック片押圧部材８９が上方へ移動した状態において、前記係合穴１２３の下端部が前記ロック片支持軸１２１に当接するように形成してある。
【００８２】
上述の如くアダプタリング着脱手段８２ａによれば、パンチガイド５の方向あるいは姿勢（例えば、水平方向または垂直方向など）に関係なく、前記アダプタリング８１を容易に着脱することができる。
【００８３】
図１６、図１７に示すアダプタリング着脱手段８２ｂにおいて、前記ロック片押圧部材８９の下部には、前記ロック片８７の下部に当接可能なＬ字形の引掛け棒１２７が設けてある。
【００８４】
前記ロック片押圧部材８９の下部の前記パンチガイド５の下部には、前記引掛け棒１２７が上下方向に移動できるように、パンチガイド５の下端部に開放した上下方向に延びる切欠き溝１２９が設けてある。
【００８５】
前記引掛け棒１２７は、前記パンチガイド５の外径部から、前記ロック片８７の下部に向かって、すなわちパンチガイドの中心方向へほぼ水平に延伸しており、引掛け棒１２７のＬ字形のコーナー部は前記ロック片８７の形状に沿った円弧状に形成してある。
【００８６】
上述のアダプタリング着脱手段８２ｂにおいて、図１６ａは前記ロック片押圧部材８９が下方へ押圧付勢されて、前記アダプタリング８１の係合溝８３に前記ロック片８７が係合するロック状態を示したものであり、図１６ｂに示すように、前記ロック片押圧部材８９を上方へ、すなわちパンチヘッド３３の方向へ移動させれば、前記ロック片８７は前記引掛け棒１２７に係合保持されて前記ガイド溝８５に沿って斜め右上方向へ移動して、ロック片８７と係合溝８３との係合が強制的に解除されることになる。
【００８７】
上述の如くアダプタリング着脱手段８２ｂによれば、パンチガイド５の方向あるいは姿勢（例えば、水平方向または垂直方向など）に関係なく、前記アダプタリング８１を容易に着脱することができる。
【００８８】
図１８、図１９に示すアダプタリング着脱手段８２ｃにおいて、前記アダプタリング８１には、前記ロック片８７の下面に当接係合してこのロック片８７をパンチガイド５の上方向へ、すなわち前記パンチヘッド３３の方向へ常時押圧付勢するスプリングにより付勢されるスプリングプランジャー１３１が設けてある。
【００８９】
従って、前記ロック片８７は常時パンチガイド５の上方へ、すなわちパンチヘッド側へ付勢されているので、前記ロック片押圧部材８９を上方へ、すなわちパンチヘッド３３の方向へ移動させれば、前記ロック片８７と係合溝８３との係合が強制的に解除されることになる（図１８ｂ参照）。
【００９０】
すなわち、アダプタリング着脱手段８２ｃによれば、パンチガイド５の方向あるいは姿勢（例えば、水平方向または垂直方向など）に関係なく、前記アダプタリング８１を容易に着脱することができる。
【００９１】
なお、前記スプリングプランジャー１３１のスプリングに代えて、ガススプリングを使用することも可能である。またプランジャーを使用せずにスプリングを使用して直接的に前記ロック片８７を付勢することも可能である。
【００９２】
図２０、図２１に示すアダプタリング着脱手段８２ｄにおいて、前記ロック片押圧部材８９下部には、前記ロック片８７を揺動可能に保持するリンク部材１３３が設けてある。前記リンク部材１３３は前記ロック片８７の軸心を貫通しており、その両端部は前記ロック片押圧部材８９の下部側面に回動可自在に軸支してある。
【００９３】
なお、上記リンク部材１３３はロック片８７の軸心を必ず貫通する一体部品である必要はなく、ロック片押圧部材８９とロック片８７を回動可能に連結保持する２個のリンクを用いても構わない。
【００９４】
上述のアダプタリング着脱手段８２ｄにおいて、図２０ａに示す如く前記アダプタリング８１の係合溝８３に前記ロック片８７が係合するロック状態において、前記ロック片押圧部材８９を上方へ、すなわちパンチヘッド３３の方向へ移動させれば、前記ロック片８７と係合溝８３との係合が強制的に解除されることになる（図２０ｂ参照）。
【００９５】
すなわち、アダプタリング着脱手段８２ｄによれば、パンチガイド５の方向あるいは姿勢（例えば、水平方向または垂直方向など）に関係なく、前記アダプタリング８１を容易に着脱することができる。
【００９６】
次ぎに、図２２、図２３に示す、アダプタリング着脱手段８２ｅについて説明する。なお、アダプタリング着脱手段８２ｅにおいても、前記アダプタリング着脱手段８２と同一の部品には同一の符号を付して詳細な説明は省略する。
【００９７】
アダプタリング着脱手段８２ｅには、前述のアダプタリング着脱手段（８２ａ〜８２ｄ）と同様に、前記アダプタリング８１の係合溝８３に係脱自在の係合手段が前記パンチガイド５の複数位置に設けてある。この係合手段は、前記パンチガイド５の外周に上下方向にガイドされると共に外径方向へ移動可能なロックボタン１４３と、このロックボタン１４３の内側に一体的に設けた前記係合溝８３に係脱可能な係合部１４５ｋを有するロックスプリング１４５とからなっている。
【００９８】
なお、このロックボタン１４３とロックスプリング１４５は一体物であっても構わない。
【００９９】
前記ロックボタン１４３の中央には、上下方向（パンチガイドの軸方向）に延伸した長穴１４７ｂが、ロックスプリング１４５の中央には長穴１４７ａが設けてあり、この長穴１４７ａと１４７ｂを挿通して、前記パンチガイド５に取り付けた前記ボルト９５により、ロックボタン１４３とロックスプリング１４５からなる前記係合手段が保持してある。
【０１００】
なお、ボルト９５の軸部には、この軸部に挿通した筒状のスペーサー１４９が挿入してあり、前記ロックボタン１４３の長穴１４７ｂは、ボルト９５の頭部が入る幅を有し、前記長穴１４７ａは前記スペーサー１４９のみが通過可能な幅に設けてある。
【０１０１】
また、前記ロックスプリング１４５上方部分における前記長穴１４７ａの周囲と前記パンチガイド５との間には、前記ロックスプリング１４５の係合部１４５ｋと前記係合溝８３との係合を非係合にするために、前記ロックスプリング１４５と前記ロックボタン１４３からなる前記係合手段を前記パンチガイド５の外周方向へ常時押圧付勢する複数のロックボタンスプリング１５１が設けてある。
【０１０２】
また、図２３に示すように、前記ロックボタン１４３は前記パンチガイド５の外周面に設けたガイド溝１５３により、パンチガイド５の上下方向にガイドされるように設けてある。
【０１０３】
上記構成において、前記ロックボタン１４３とロックスプリング１４５とからなる前記係合手段は、前記ロックボタンスプリング１５１により、前記パンチガイド５の外周方向へ付勢されているが、ロックスプリング１４５の係合部１４５ｋと、前記パンチガイド５の外周から内周に向かって傾斜するガイド溝８５との係合と前記ガイド溝１５３との係合により、パンチガイド５に対して斜め右上がり方向へ、かつ上方向へ常時押圧付勢されている。
【０１０４】
これから説明する係合状態保持手段の操作により、前記ロックスプリング１４５の係合部１４５ｋと前記係合溝８３との係合を係合状態に保持（図２２ａに示すロック状態）または非係合状態（図２２ｂに示す非係合状態）にすることができる。
【０１０５】
上述の前記係合状態保持手段は、前記ロックボタン１４３の上端部に係合自在の係止部を備え、該係止部を前記ロックボタン１４３の上部位置へ移動可能に押圧付勢されたリリースボタン１５９などからなっている。
【０１０６】
前記ロックボタン１４３の上方のパンチガイド５の外周部には、前記パンチガイド５の軸心に直角方向に設けた有底の円筒形のガイド穴１５７が形成してあり、このガイド穴１５７には、円筒状のリリースボタン１５９が摺動自在に嵌合してある。
【０１０７】
リリースボタン１５９の底部にはスプリング１６１を収容可能な凹部１６３が形成してあり、この凹部１６３と前記ガイド穴１５７の間には、前記リリースボタン１５９を外周方向へ押圧付勢する前記スプリング１６１が弾装してある。
【０１０８】
なお、前記ガイド穴１５７の出口近傍には、前記リリースボタン１５９先端部に設けた段部１５９ｄに係合する係止部材として、例えば、下方に開口を有するスナップリング１６７が固定してある。
【０１０９】
前記リリースボタン１５９の下部には、前記ロックボタン１４３の上端部に係合可能な平坦な平面からなる係止部１６９が形成してあり、前記ロックボタン１４３の上端部には、この係止部１６９に係合する斜面１４３ｓと平坦な係止面１４３ｋとが設けてある。
【０１１０】
以下、上記構成のアダプタリング着脱手段８２ｅの操作について説明する。
【０１１１】
図２２ａは、アダプタリングの係合溝８３にロックスプリング１４５の係合部１４５ｋが係合したロック状態を示した図であり、図２２ｂは係合溝８３からロックスプリング１４５の係合部１４５ｋが開放された解除状態（アンロック状態）を示した図である。
【０１１２】
いま、図２２ａのロック状態から図２２ｂの解除状態（アンロック状態）にするには、リリースボタン１５９を作業者が指で押圧して、リリースボタン１５９を押し込むと、ロックボタン１４３の上端部の係止面１４３ｋとリリースボタン１５９の下端部の係止部１６９の係合が解除され、ロックボタン１４３はロックボタンスプリング１５１の付勢力により、ロックボタン１４３の上端部の斜面１４３ｓに沿って右方へ移動する。
【０１１３】
このとき、移動したロックボタン１４３は、スペーサー１４９で高さを規制したボルト９５により、移動量が規制されているため、パンチガイド５から外れることはない。
【０１１４】
これにより、ロックボタン１４３に固定したロックスプリング１４５の係合部１４５ｋとアダプタリング８１の係合溝８３との係合が解除され、パンチガイド５からアダプタリング８１が開放される。
【０１１５】
また、図２２ｂの解除状態（アンロック状態）から図２２ａのロック状態にするには、作業者が指でロックボタン１４３をロックボタン１４３上端部の斜面１４３ｓに沿って、ロックボタンスプリング１５１の付勢力に抗する力で押し下げ、ロックボタン１４３上端部の係止面１４３ｋの位置がリリースボタン１５９の下端部の係止部１６９より下方に下がると、リリースボタン１５９が自動的にスプリング１６１の付勢力で右方向（外周方向）へ突出して、ロックボタン１４３上端部の係止面１４３ｋとが係合し、ロックボタン１４３が固定され、ロックスプリング１４５の係合部１４５ｋとアダプタリング８１の係合溝８３との係合が固定状態に保持されることになる。
【０１１６】
上述の如くアダプタリング着脱手段８２ｅによれば、パンチガイド５の方向あるいは姿勢（例えば、水平方向または垂直方向など）に関係なく、前記アダプタリング８１を容易に着脱することができる。
【図面の簡単な説明】
【０１１７】
【図１】本発明に係るパンチ金型組立体の説明図。
【図２】図１におけるＢ矢視図。
【図３】図１におけるＡ−Ａ線に沿った断面図。
【図４】図１におけるロックリング６７の説明図。
【図５】図１におけるＣ−Ｃ線に沿った断面図。
【図６】図１におけＤ部の部分拡大図。
【図７】図６におけるＥ矢視図。
【図８】図５におけるＦ−Ｆ線に沿った断面図。
【図９】アダプタリング着脱手段８２の別例の説明図（図９ａ〜図９ｃ）。
【図１０】アダプタリング着脱手段８２の別例をパンチ金型組立体に採用した場合の図１におけるＣーＣ断面図。
【図１１】ストリッパープレートをアダプタリングと一体的に形成した例。
【図１２】ストリッパープレートをアダプタリングにボルトで固定した例。
【図１３】アダプタリング着脱手段８２とは別のアダプタリング着脱手段８２ａの拡大断面図で、図１３ａはロック状態、図１３ｂは解除状態を示す。
【図１４】図１３ａにおけるＧ矢視図。
【図１５】図１３ａにおけるＨ−Ｈ線に沿った断面図。
【図１６】アダプタリング着脱手段８２とは別のアダプタリング着脱手段８２ｂの拡大断面図で、図１６ａはロック状態、図１６ｂは解除状態を示す。
【図１７】図１６ａにおけるＪ矢視図。
【図１８】アダプタリング着脱手段８２とは別のアダプタリング着脱手段８２ｃの拡大断面図で、図１８ａはロック状態、図１８ｂは解除状態を示す。
【図１９】図１８ａにおけるＫ矢視図。
【図２０】アダプタリング着脱手段８２とは別のアダプタリング着脱手段８２ｄの拡大断面図で、図２０ａはロック状態、図２０ｂは解除状態を示す。
【図２１】図２０ａにおけるＬ矢視図。
【図２２】アダプタリング着脱手段８２とは別のアダプタリング着脱手段８２ｅの拡大断面図で、図２０ａはロック状態、図２０ｂは解除状態を示す。
【図２３】図２０ａにおけるＭ矢視図。
【符号の説明】
【０１１８】
１  パンチ金型組立体
３  パンチボディ
５  パンチガイド
５ｋ  環状の凹部
７  下部パンチドライバ
９  雄ねじ部
１１  上部パンチドライバ
１３、１９、２３、３５  ６角穴付きボルト
１５  第１キー溝
１７  第１キー
２０  第２キー溝
２１  第２キー
２５  キー溝
２７、２９  フランジ部
３１  スプリング支持部材
３３  パンチヘッド
３７  ストリッパースプリング
３９、５７、７７  係合穴
４１、５３  ピン
４３  回転規制手段
４４  ガイド溝
４５  押しボタン
４７  ロック部材
４７ａ、５９ｂ、１０３  係合凸部
４９、５１  ガイド溝
５５、９７  スプリング
５９  スプリングカバー
５９ａ  フランジ部
６１  カバー着脱手段
６３、６５  周溝
６７  ロックリング
６７ａ  爪部
６７ｂ  端部
６９  移動規制部材
７１、７３  切欠き溝
７５  穴
７９  ストリッパープレート
８１  アダプタリング
８１ｋ  環状の凸部
８２  アダプタリング着脱手段
８３、１０１  係合溝
８５、９１  ガイド溝  
８７  ロック片  
８９  ロック片押圧部材
９３  長穴
９５  ボルト
９６  滑り止め用溝
９８  傾斜面
９９  環状の段部
１０５  ストリッパープレート固定部材
１０７、１２１  ボルト
１０８  キー溝
１０９  アダプタリング付勢手段
１１１  ピストンガイド穴
１１３  ピストン
１１３ｒ  ピストンロッド
１１５  スプリング
１１７  係止部材
１１９  金型支持部
１２１  ロック片支持軸
１２３  係合穴
１２５  ロック片支持部
１２７  引掛け棒
１２９  切欠き溝
１３１  スプリングプランジャー
１３３  リンク部材
１４３  ロックボタン
１４３ｓ  斜面
１４３ｋ  係止面  
１４５  ロックスプリング
１４５ｋ  係合部
１４７ａ、１４７ｂ  長穴
１４９  スペーサー
１５１  ロックボタンスプリング
１５３  ガイド溝
１５７  ガイド穴
１５９リリースボタン
１５９ｄ  段部
１６１  スプリング
１６３  凹部
１６７  スナップリング
１６９  係止部
【図１】
2006167746.tif 000003
【図２】
2006167746.tif 000004
【図３】
2006167746.tif 000005
【図４】
2006167746.tif 000006
【図５】
2006167746.tif 000007
【図６】
2006167746.tif 000008
【図７】
2006167746.tif 000009
【図８】
2006167746.tif 000010
【図９】
2006167746.tif 000011
【図１０】
2006167746.tif 000012
【図１１】
2006167746.tif 000013
【図１２】
2006167746.tif 000014
【図１３】
2006167746.tif 000015
【図１４】
2006167746.tif 000016
【図１５】
2006167746.tif 000017
【図１６】
2006167746.tif 000018
【図１７】
2006167746.tif 000019
【図１８】
2006167746.tif 000020
【図１９】
2006167746.tif 000021
【図２０】
2006167746.tif 000022
【図２１】
2006167746.tif 000023
【図２２】
2006167746.tif 000024
【図２３】
2006167746.tif 000025